(57)【特許請求の範囲】
【請求項１】
天井に設けられた引掛型天井配線器具に引掛接続された照明器具取付装置に照明器具本体部を着脱可能に取り付ける照明器具取付構造であって、前記照明器具本体部は、
前記照明器具取付装置との電気的接続を行うためのコネクタを有する筐体部と、
前記筐体部により可動に保持され、前記照明器具取付装置と係合する係合部と、
前記係合部と一体的に動作する操作部と、
前記筐体部により可動に保持され、前記係合部が前記照明器具取付装置と適正に係合したときにのみ、前記操作部と係合してその操作を妨げる位置に移動可能であるとともに、前記操作部と非係合状態では前記コネクタの接続を妨げるインタロック部材と
を備えたことを特徴とする照明器具取付構造。
【請求項２】
前記コネクタに接続された相手側のコネクタが、前記インタロック部材の移動を妨げることを特徴とする請求項１記載の照明器具取付構造。
【請求項３】
天井からの突出長が相異なる少なくとも２種類の引掛型天井配線器具に接続される照明器具取付装置に、照明器具本体部を着脱可能に取り付ける照明器具取付構造であって、前記照明器具取付装置は、
引掛型天井配線器具に引掛接続する栓刃を端面に有し、かつ、照明器具本体部側の係合部と選択的に係合して当該照明器具本体部を支持する第１の支持部を有する第１取付部材と、
前記第１取付部材と係合するとともに、この第１取付部材に対して、天井面と直交する方向に所定範囲で移動可能であって、一の引掛型天井配線器具とは干渉せず、他の引掛型天井配線器具と干渉する突起部と、前記係合部と選択的に係合して前記照明器具本体部を支持する第２の支持部とを有する第２取付部材と、
自由な状態において前記突起部が前記端面より突出した状態に維持すべく、前記第２取付部材を前記第１取付部材に対して相対的に付勢する弾性体と
を備え、前記栓刃を前記一の引掛型天井配線器具に引掛接続したとき前記第１の支持部によって前記照明器具本体部を支持し、
前記栓刃を前記他の引掛型天井配線器具に引掛接続するとき、前記第２取付部材の前記突起部が当該引掛型天井配線器具に当接した状態から前記第１取付部材を押し上げることにより、前記端面から突出した前記突起部を前記弾性体に抗して引っ込ませ、これにより、前記第２取付部材を前記第１取付部材に対して相対的に移動させ、この移動に基づいて、前記突出長の差を相殺する方向に移動した前記第２の支持部によって前記照明器具本体部を支持するものであり、前記照明器具本体部は、
前記照明器具取付装置との電気的接続を行うためのコネクタを有する筐体部と、
前記筐体部により可動に保持され、前記照明器具取付装置と係合する係合部と、
前記係合部と一体的に動作する操作部と、
前記筐体部により可動に保持され、前記係合部が前記照明器具取付装置と適正に係合したときにのみ、前記操作部と係合してその操作を妨げる位置に移動可能であるとともに、前記操作部と非係合状態では前記コネクタの接続を妨げるインタロック部材と
を備えたことを特徴とする照明器具取付構造。
【請求項４】
引掛型天井配線器具に引掛接続する状態において前記第２取付部材は前記第１取付部材より実質的に下方にあり、当該第２取付部材の側面に、前記第１取付部材の一部を下方に露出させる切欠部が設けられていることを特徴とする請求項３記載の照明器具取付構造。
【請求項５】
前記弾性体を保持する押さえ板を前記第２取付部材の下方に配置し、この押さえ板にも前記第１取付部材の前記一部を下方に露出させる切欠部が設けられ、この切欠部による切欠エリアが、前記天井面と直交する方向に見たとき、前記第２取付部材の切欠部の切欠エリアと重なることを特徴とする請求項４記載の照明器具取付構造。
【請求項６】
前記第２の支持部によって前記照明器具本体部が支持されるとき、前記第１の支持部と前記第２の支持部との高さ位置の差は、前記突出長の差に実質的に等しいことを特徴とする請求項３記載の照明器具取付構造。
【発明の詳細な説明】
【０００１】
【発明の属する技術分野】
本発明は、天井に設けられた引掛シーリングや引掛埋込ローゼット等の引掛型天井配線器具に照明器具を取り付けるための照明器具取付構造に関する。
【０００２】
【従来の技術】
図１６は、従来一般に用いられている照明器具取付構造を示す斜視図である。図において、天井に設けられている引掛型天井配線器具１０１に照明器具本体部１０３を取り付けるには、まず、円盤状の照明器具取付装置１０２を引掛型天井配線器具１０１に取り付ける。次に、照明器具本体部１０３の嵌合筒部１０４を照明器具取付装置１０２に外挿する。嵌合筒部１０４の内側には図示しないばねで内方に付勢された一対の爪１０５が設けられており、この爪１０５が照明器具取付装置１０２と係合して照明器具本体部１０３は保持される。爪１０５は、照明器具本体部１０３が照明器具取付装置１０２へ円滑に外挿されるように先端部がテーパ加工されている。また、照明器具本体部１０３を照明器具取付装置１０２から外すときには、操作部１０６により爪１０５を強制的に開くことができるように構成されている。
【０００３】
図１７は上記照明器具取付装置１０２を斜め下方から見た斜視図である。照明器具取付装置１０２の上面には引掛型天井配線器具１０１（図１６）に引掛接続するための一対の栓刃１０７が設けられている。また、側面の周方向には溝１０２ａが形成され、ここに略Ｃ字状（図１８参照）のリング１０８が装着されている。リング１０８は取り外しが可能であり、引掛型天井配線器具１０１の種類に合わせて着脱される。
例えば引掛型天井配線器具１０１が図１６に示すような引掛シーリング（完全露出型）である場合は、リング１０８を装着した状態で照明器具本体部１０３を取り付ける。この場合、爪１０５はリング１０８の外周面上を乗り越えて照明器具取付装置１０２の上面に達し、ここに係合する。これにより照明器具本体部１０３が保持される。
一方、引掛型天井配線器具１０１が、天井からの突出長が引掛シーリングより短い引掛埋込ローゼット（半埋込型）である場合は、リング１０８を取り外して溝１０２ａを塞がない状態にする。この場合、嵌合筒部１０４を照明器具取付装置１０２に外挿すると、爪１０５が溝１０２ａに係合する。従って、その位置で照明器具本体部１０３を安定保持することが可能になる。
【０００４】
このようにして、リング１０８の着脱により、高さ方向における、照明器具本体部１０３の取付位置を調節することができるように構成されている。この結果、引掛型天井配線器具１０１の種類に関わらず、照明器具本体部１０３の上部と天井との距離を略一定に保つことができる。この照明器具本体部１０３の上部と天井との間には、照明器具本体部１０３のがたつきを抑えるためのスペーサ（虫よけを兼用したもの）が取り付けられる。
【０００５】
【発明が解決しようとする課題】
しかしながら、上記のような照明器具取付装置１０２と照明器具本体部１０３とによる従来の照明器具取付構造においては、照明器具本体部１０３の爪１０５が照明器具取付装置１０２に確実に係合していないにもかかわらず照明器具本体部１０３が照明器具取付装置１０２に一応保持される場合がある。このような場合には、操作部１０６が定位置に戻らないことにより、操作部１０６のところに赤いマーキングが見えるようになっている。そこで、取付作業者はこの赤いマーキングを見て照明器具本体部１０３が照明器具取付装置１０２に確実に係合していないことを知り、照明器具本体部１０３の取付直しを行って、確実な係合をさせることができる。しかしながら、このような手順は取付作業者の注意力に依存するため確実性に乏しく、取付作業者がマーキングを見落とした場合はそのままの状態で放置され、その結果、照明器具本体部１０３が落下する危険性があった。
【０００６】
一方、上記のような従来の照明器具取付装置１０２では、取付作業者がリング１０８の着脱を間違える場合があった。例えば、引掛型天井配線器具１０１が引掛シーリングであるにもかかわらず、取付作業者が誤ってリング１０８を外してしまった場合には、照明器具本体部１０３の取付はできるものの、その上面と天井との距離が適正値より大きくなる。この結果、特に横引きスイッチ（スイッチひもが水平に張架されてから垂下したもの）を備えた照明器具の場合、スイッチ操作によって照明器具本体部１０３が揺動して不安定になる。逆に、引掛型天井配線器具１０１が引掛埋込ローゼットであるにもかかわらず、リング１０８を外さなかった場合は、照明器具本体部１０３が取り付けられなくなる。
このように、取付作業者がリング１０８の着脱を間違えると、照明器具の適正な取付ができなくなるという問題点があった。
【０００７】
上記のような従来の問題点に鑑み、本発明の第１の目的は、取付作業者の注意力に依存することなく、照明器具の落下を常に確実に防止する照明器具取付構造を提供することにある。
また、本発明の第２の目的は、取付作業者の注意力に依存することなく、常に確実に照明器具本体部の適正な取付を行うことができる照明器具取付構造を提供することにある。
【０００８】
【課題を解決するための手段】
本発明は、天井に設けられた引掛型天井配線器具に引掛接続された照明器具取付装置に照明器具本体部を着脱可能に取り付ける照明器具取付構造であって、前記照明器具本体部は、前記照明器具取付装置との電気的接続を行うためのコネクタを有する筐体部と、前記筐体部により可動に保持され、前記照明器具取付装置と係合する係合部と、前記係合部と一体的に動作する操作部と、前記筐体部により可動に保持され、前記係合部が前記照明器具取付装置と適正に係合したときにのみ、前記操作部と係合してその操作を妨げる位置に移動可能であるとともに、前記操作部と非係合状態では前記コネクタの接続を妨げるインタロック部材とを備えたことを特徴とするものである（請求項１）。
このような照明器具取付構造では、係合部が適正に照明器具取付装置に係合するように照明器具本体部が取り付けられた場合にのみ、インタロック部材が操作部と係合する位置に移動可能となり、インタロック部材を移動することにより、コネクタ接続が可能となる。従って、係合部が適正に照明器具取付装置に係合していない場合は、インタロック部材を移動させることはできず、コネクタ接続ができない。
【０００９】
上記照明器具取付構造（請求項１）において、コネクタに接続された相手側のコネクタが、インタロック部材の移動を妨げるものであってもよい（請求項２）。
この場合、照明器具本体部のコネクタに接続された照明器具取付装置のコネクタがインタロック部材の移動を妨げることにより、インタロック部材は操作部と非係合状態になることができず、操作部の操作を行うことができない。すなわち、コネクタ接続がなされた状態では照明器具本体部を取り外すことができない。
【００１０】
また、本発明は、天井からの突出長が相異なる少なくとも２種類の引掛型天井配線器具に接続される照明器具取付装置に、照明器具本体部を着脱可能に取り付ける照明器具取付構造であって、
前記照明器具取付装置は、引掛型天井配線器具に引掛接続する栓刃を端面に有し、かつ、照明器具本体部側の係合部と選択的に係合して当該照明器具本体部を支持する第１の支持部を有する第１取付部材と、前記第１取付部材と係合するとともに、この第１取付部材に対して、天井面と直交する方向に所定範囲で移動可能であって、一の引掛型天井配線器具とは干渉せず、他の引掛型天井配線器具と干渉する突起部と、前記係合部と選択的に係合して前記照明器具本体部を支持する第２の支持部とを有する第２取付部材と、自由な状態において前記突起部が前記端面より突出した状態に維持すべく、前記第２取付部材を前記第１取付部材に対して相対的に付勢する弾性体とを備え、前記栓刃を前記一の引掛型天井配線器具に引掛接続したとき前記第１の支持部によって前記照明器具本体部を支持し、前記栓刃を前記他の引掛型天井配線器具に引掛接続するとき、前記第２取付部材の前記突起部が当該引掛型天井配線器具に当接した状態から前記第１取付部材を押し上げることにより、前記端面から突出した前記突起部を前記弾性体に抗して引っ込ませ、これにより、前記第２取付部材を前記第１取付部材に対して相対的に移動させ、この移動に基づいて、前記突出長の差を相殺する方向に移動した前記第２の支持部によって前記照明器具本体部を支持するものであり、
前記照明器具本体部は、前記照明器具取付装置との電気的接続を行うためのコネクタを有する筐体部と、前記筐体部により可動に保持され、前記照明器具取付装置と係合する係合部と、前記係合部と一体的に動作する操作部と、前記筐体部により可動に保持され、前記係合部が前記照明器具取付装置と適正に係合したときにのみ、前記操作部と係合してその操作を妨げる位置に移動可能であるとともに、前記操作部と非係合状態では前記コネクタの接続を妨げるインタロック部材とを備えたものであってもよい（請求項３）。
【００１１】
このような照明器具取付構造においては、栓刃を前記一の引掛型天井配線器具に引掛接続したときは第１の支持部が照明器具本体部を支持する。一方、栓刃を前記他の引掛型天井配線器具に引掛接続するときは、第２取付部材の突起部が引掛型天井配線器具に当接した状態から第１取付部材を弾性体に抗して押すことにより、第２取付部材を前記第１取付部材に対して相対的に移動させ、この移動に基づいて、前記突出長の差を相殺する方向に移動した第２の支持部が照明器具本体部を支持する。従って、引掛型天井配線器具の種類による天井面からの突出長の違いを、支持部を変えることにより補償して、照明器具本体部と天井面との距離を略一定に保つことができる。
また、このような照明器具取付構造では、係合部が適正に照明器具取付装置に係合するように照明器具本体部が取り付けられた場合にのみ、インタロック部材が操作部と係合する位置に移動可能となり、インタロック部材を移動することにより、コネクタ接続が可能となる。従って、係合部が適正に照明器具取付装置に係合していない場合は、インタロック部材を移動させることはできず、コネクタ接続ができない。
【００１２】
上記照明器具取付構造（請求項３）において、引掛型天井配線器具に引掛接続する状態において前記第２取付部材は前記第１取付部材より実質的に下方にあり、第２取付部材の側面に、第１取付部材の一部を下方に露出させる切欠部が設けられていてもよい（請求項４）。
この場合、切欠部に指を通して、指先で第１取付部材を押し上げながら、照明器具取付装置を取り付ける操作を行うことができる。
【００１３】
上記照明器具取付構造（請求項４）において、前記弾性体を保持する押さえ板を前記第２取付部材の下方に配置し、この押さえ板にも前記第１取付部材の前記一部を下方に露出させる切欠部が設けられ、この切欠部による切欠エリアが、前記天井面と直交する方向に見たとき、前記第２取付部材の切欠部の切欠エリアと重なっていることが好ましい（請求項５）。
この場合、切欠エリアの重なりによって天井面と直交する方向に連続した凹部空間が形成され、ここに指を入れることができるので、切欠部に指を当てて、指先で第１取付部材を押し上げながら、照明器具取付装置を稔回する操作を行うことができる。
【００１４】
上記照明器具取付構造（請求項３）において、第２の支持部によって照明器具本体部が支持されるとき、第１の支持部と第２の支持部との高さ位置の差は、前記突出長の差に実質的に等しいことが好ましい（請求項６）。
この場合、引掛型天井配線器具の種類による突出長の差が支持部の高さ位置の差により一定確実に相殺される。従って、照明器具本体部と天井面との距離を一定に保つことができる。
【００１５】
【発明の実施の形態】
図１〜図１５は、本発明の一実施形態による照明器具取付構造に関する図面である。まず、図５〜７に基づいて、照明器具取付装置の構造について説明する。図５は照明器具取付装置１０の組立を示す斜視図である。図に示すように、照明器具取付装置１０は、第１取付部材１、第２取付部材２、ばね３、一対のガイド部材４、押さえ板５及びカバー６により構成されている。なお、各図において、本発明に直接関係のない構成部分は図示を省略するか若しくは図示しても説明を省略する。
【００１６】
図６は、上記第１取付部材１を示す図であり、（ａ）は平面図、（ｂ）は側面図、（ｃ）は底面図である。図５及び図６において、第１取付部材１の筐体は樹脂からなり、その基本的形状は、円形の上面部１ａと、円筒面状の側面部１ｂと、側面部１ｂの外周下端部に形成された鍔状部１ｃとを備えたものである。
引掛型天井配線器具に引掛接続される一対の栓刃１１は、上記上面部１ａから上方に突出して設けられている。上面部１ａの周辺部同一円周上の４箇所には、後述の第２取付部材２の突起部２ｄを嵌挿させるため、円弧状に逃がし孔１ｄが設けられている。また、上面部１ａの一対の孔１ｅは、ねじ７（図５）を貫通させるために設けられている。一方、図６の（ｃ）に示すように、上面部１ａの裏側には、栓刃１１とそれぞれ接続された一対のリード線端子１２が設けられている（但し、リード線の図示は省略する。）。
【００１７】
第１取付部材１の側面部１ｂは、外周上の相対向する２箇所の所定範囲が切除され、切欠部１ｆとなっている。切欠部１ｆに沿った側面部１ｂの周方向エッジ部分には突起部１ｇが設けられている。上記鍔状部１ｃは、一対の切欠部１ｆを除く側面部１ｂの外周下端部に設けられ、照明器具本体部を支える「第１の支持部」としての機能を有している（詳細は後述する。）。
【００１８】
次に、図７は、上記第２取付部材２を示す図であり、（ａ）は平面図、（ｂ）は側面図、（ｃ）は底面図である。図５及び図７において、第２取付部材２は樹脂からなり、その基本的形状は、円形の一部としての形状の上面部２ａと、部分的に円筒面状の側面部２ｂと、側面部２ｂの外周下端部に形成された鍔状部２ｃとを備えたものである。
４個の突起部２ｄは、上面部の外周端部から上方へ突設され、前述の第１取付部材１の逃がし孔１ｄに嵌挿されるように同一円周上に配置されている。ばね保持部２ｅは上面部２ａの中央をプレス成形したもので、図の（ａ）及び（ｂ）では凸部であり、（ｃ）では凹部である。ばね保持部２ｅを挟んで一対形成された角孔２ｆは、前述のリード線端子１２の逃がし孔となる。また、ガイド部材４を嵌挿させるため、ばね保持部２ｅを挟んで丸孔２ｇが一対形成されている。上面部２ａの裏側に突設された一対のボス２ｈには、図５におけるねじ８を螺合させるための雌ねじが形成されている。
【００１９】
第２取付部材２の側面部２ｂ及び上面部２ａは、外周上の相対向する２箇所の所定範囲が切除され、切欠部２ｉとなっている。上記鍔状部２ｃは、一対の切欠部２ｉを除く側面部１ｂの外周下端部に設けられ、照明器具本体部を支える「第２の支持部」としての機能を有している（詳細は後述する。）。鍔状部２ｃは、その外周径が下方ほど小さくなるようにテーパ状に加工されている。
【００２０】
図５に示すように、照明器具取付装置１０は、上記のように構成された第１取付部材１及び第２取付部材２に、さらにばね３、樹脂製のガイド部材４、金属製の押さえ板５、金属製のカバー６、ねじ７及びねじ８を用いて組み立てられる。ここで、ばね３は圧縮ばねである。ガイド部材４はスタッド状の外観形状で、内部にはねじ７を挿通させる貫通孔４ａが設けられている。また、ガイド部材４の円筒部（鋲頭部を除く部分）４ｂの直径は前述の第２取付部材２の丸孔２ｇの内径より小さい。押さえ板５の中央部にはプレス成形されたばね保持部５ａが凹部として形成され、そのばね保持部５ａを挟んで両側に雌ねじ部５ｂが形成されている。また、押さえ板５には、第２取付部材２のボス２ｈの逃がし孔５ｃが設けられているとともに、他の円形部分の外周より切り込まれた切欠部５ｄが設けられている。カバー６にはねじ８を挿通させるための一対の孔６ａと、外周上の相反位置に円弧状の切欠部６ｂとが設けられている。
【００２１】
ここで、図の上下方向、すなわち照明器具取付装置１０を取り付ける天井面と直交する方向を装置の「軸方向」とすると、軸方向に直交する平面における押さえ板５の上記切欠部５ｄによる切欠エリアは、第２取付部材２の切欠部２ｉの同平面における切欠エリアと重なるように配置構成されている。すなわち、平面図的に当該装置を見たとき、各切欠部５ｄ及び２ｉの存在によって装置全体の外周から凹む領域部分が少なくともその一部において共通しているのである。同様に、軸方向に直交する平面におけるカバー６の上記切欠部６ｂによる切欠エリアも、第２取付部材２の切欠部２ｉの同平面における切欠エリアと重なるように配置構成されている。従って、カバー６の切欠部６ｂ、押さえ板５の切欠部５ｄ及び第２取付部材２の切欠部２ｉによる、軸方向に直交する平面上の切欠エリアが所定範囲で相互に一致している。また、第２取付部材２の切欠部２ｉの円周上における位置は、第１取付部材１の切欠部１ｆの円周上における位置と略一致している。
【００２２】
照明器具取付装置１０を組み立てるには、まず、第２取付部材２の突起部２ｄが第１取付部材１の逃がし孔１ｄに嵌挿されるように第１取付部材１と第２取付部材とを互いに係合させる。次に、ばね３を第２取付部材２のばね保持部２ｅと押さえ板５のばね保持部５ａとで挟持し、かつ、ガイド部材４の円筒部４ｂが第２取付部材２の丸孔２ｇに挿通されるように、押さえ板５と第２取付部材２とを相互に押しつける。この状態でねじ７を通し、押さえ板５の雌ねじ部５ｂに螺合させる。最後に、カバー６をねじ８により、第２取付部材２に固定する。
【００２３】
このようにして組立完成した照明器具取付装置１０において、第２取付部材２は、第１取付部材１との係合及びガイド部材４による案内によって、軸方向に直交する平面での回転を規制されるとともに、軸方向には、ばね３の付勢に抗して第１取付部材に対して相対的に所定範囲で移動可能となる。
また、前述のようにカバー６の切欠部６ｂ、押さえ板５の切欠部５ｄ及び第２取付部材２の切欠部２ｉの、軸方向に直交する平面上の切欠エリアが共通し、さらに第２取付部材２の切欠部２ｉの円周上における位置は第１取付部材１の切欠部１ｆの円周上における位置と略一致しているため、軸方向に連続した所定の凹部空間が形成される。
【００２４】
図８は、上記のようにして組み立てた照明器具取付装置１０の側面図である。図に示すように凹部Ｖが側面及び側面から内方へ入り込んで形成されている。この凹部Ｖは、照明器具取付装置１０の装着時において人の指を当て得る凹部となる。また、第１取付部材１の上面部１ａには切欠部が設けられていないため、この上面部１ａ裏面の一部が下方に露出した状態（下方から見える状態）となり、そこに指の先端が当たって押圧力が付与される。すなわち、一対の凹部Ｖに親指と例えば人指し指をあてがい、照明器具取付装置１０を摘むように保持しつつ、栓刃１１を引掛型天井配線器具に挿入して稔回することにより、当該照明器具取付装置１０を引掛型天井配線器具に取り付けることができる。このとき、凹部Ｖに指が収まることで稔回力も付与しやすい。
なお、当該組立状態において、第２取付部材２の突起部２ｄが第１取付部材１の上面から突出する高さをｈ１、第１取付部材１の鍔状部１ｃの高さをｈ２とすると、ｈ１＋ｈ２は、後述する引掛シーリングと引掛埋込ローゼットとの天井面から下方への突出長の差に等しくなるように設計されている。
【００２５】
次に、以上のようにして組み立てられた照明器具取付装置１０を、引掛型天井配線器具に取り付ける場合の状態について説明する。
図９は、引掛型天井配線器具が引掛シーリング３１である場合の照明器具取付装置１０の取付状態を示す側面図である。引掛シーリング３１は引掛埋込ローゼットと比較すると、天井３２から下方への突出長（すなわち高さ）Ｈ１が大きく、全幅Ｗ及び全長Ｌは比較的小さい。この全長Ｌ及び全幅Ｗともに第２取付部材２の４個の突起部２ｄによって形成される円の内径より小さい。従って、引掛シーリング３１に照明器具取付装置１０を取り付けても、突起部２ｄはどこにも干渉しない。すなわち、照明器具取付装置１０は図８に示す組立状態のまま取り付けされる。照明器具本体部の係合部（詳細後述）は、第１取付部材１の鍔状部１ｃの上面に乗る形で保持される。この鍔状部１ｃの上面と天井面との距離をＨｃとする。
【００２６】
図１０は、引掛型天井配線器具が引掛埋込ローゼット３３である場合の照明器具取付装置１０の取付状態を示す側面図である。引掛埋込ローゼット３３は円盤状であり、引掛シーリング３１と比較すると、天井３２からの突出長Ｈ２が小さく、直径Ｄは比較的大きい。この直径Ｄは４個の突起部２ｄによって形成される円の外径より大きい。従って、引掛埋込ローゼット３３に照明器具取付装置１０を取り付けようとすると、突起部２ｄが引掛埋込ローゼット３３に必ず当接する。突起部２ｄが引掛埋込ローゼット３３に当接した状態からさらに第１取付部材１を押し上げることにより、ばね３（図５）に抗して第２取付部材２が第１取付部材１に対して相対的に下降する。これにより、第１取付部材１の上面部１ａから突出していた突起部２ｄは引っ込み、第２取付部材２の鍔状部２ｃと第１取付部材の鍔状部１ｃとの間に照明器具本体部の係合部が入り込み得る隙間ができる。このときの天井面から鍔状部２ｃの上面までの距離Ｈｒは、前述のＨｃとの比較において、引掛シーリング３１と引掛埋込ローゼット３３との突出長の差（Ｈ１−Ｈ２）の分が減少要因となるが、鍔状部１ｃと２ｃとの上面の高さの差ｄＨが増加要因となる。この差ｄＨは、前述のｈ１＋ｈ２に等しい。従って、高さの差ｄＨは、引掛シーリング３１と引掛埋込ローゼット３３との天井面からの突出長の差に相当する。すなわち、ｄＨ＝Ｈ１−Ｈ２である。従って、増加要因と減少要因が相殺し、結局、距離Ｈｒ＝Ｈｃとなる。
【００２７】
図１１及び図１２は、引掛型天井配線器具に取り付けられた照明器具取付装置１０に照明器具本体部４０を装着した状態を示す断面図であり、図１１は、引掛型天井配線器具が引掛シーリング３１である場合を、また図１２は引掛型天井配線器具が引掛埋込ローゼット３３である場合を、それぞれ示している。
図１１において、照明器具本体部４０は筐体部４１と、その上部に取り付けられた天板部４２と、先端部がテーパ加工され、筐体部４１からばね４３により内側方向に付勢された係合部４４とを備えている。なお、照明器具は照明器具本体部４０と共に構成されるが、ここでは図示を省略している。
【００２８】
上記照明器具本体部４０を含む照明器具全体の重量は、係合部４４に負荷される。照明器具本体部４０を照明器具取付装置１０に取り付けるには、図９に示した照明器具取付装置１０の取付完了状態から照明器具本体部４０を下方から外挿する。これにより、係合部４４が第２取付部材２の鍔状部２ｃに当接してばね４３に抗して外方へ後退する。こうして照明器具本体部４０の上昇とともに係合部４４は鍔状部２ｃを乗り越え、続いて、第１取付部材１の鍔状部１ｃを乗り越える。ここで係合部５５は鍔状部１ｃの上面と係合する。これにより照明器具本体部４０は照明器具取付装置１０に確実に保持される。天井３２の天井面と天板部４２の外周最上面との間には隙間Ｘｃが形成され、ここには虫よけ兼用のスペーサ４５が取り付けられる。
【００２９】
一方、図１２に示すように引掛型天井配線器具が引掛埋込ローゼット３３である場合においては、照明器具本体部４０の上昇とともに係合部４４は第２取付部材２の鍔状部２ｃを乗り越える。ここで係合部５５は鍔状部２ｃの上面と係合する。これにより照明器具本体部４０は照明器具取付装置１０に確実に保持される。天井３２の天井面と天板部４２の外周最上面との間に形成される隙間Ｘｒは、前述のように、引掛シーリング３１の場合の天井面から鍔状部１ｃ上面までの距離Ｈｃ（図９）と引掛埋込ローゼット３３の場合の天井面から鍔状部２ｃ上面までの距離Ｈｒが実質的に等しいことにより、引掛シーリング３１の場合の隙間Ｘｃと実質的に等しい。すなわち、引掛型天井配線器具が引掛シーリング３１であるか引掛埋込ローゼット３３であるかに関わらず、天板部４２と天井面との隙間は一定である。従って、一定のスペーサ等を設けることにより、常に、照明器具本体部４０を安定して取り付けることができる。
【００３０】
なお、本実施形態においては、照明器具取付装置１０の取り付け対象を、引掛シーリング及び引掛埋込ローゼットとしたが、他の種類の引掛型天井配線器具にも適用できることはいうまでもない。また、鍔状部１ｃ及び２ｃの他にさらに同様な支持部を設ければ、３以上の種類の引掛型天井配線器具に対しても、照明器具を一定の取付状態に取り付けることが可能である。また、ばね４の代わりに他の弾性体を用いることも可能である。
【００３１】
図１３は、照明器具取付装置１０の第２の例における第１取付部材１及び第２取付部材２を示す斜視図である。本例では、第１の例における第１取付部材１の切欠部１ｆ（図５）の位置に、第１取付部材１の外周面より凹んで、かつ、下方に延伸されたガイド部１ｈが形成されている。図の一点鎖線で示すように、第２取付部材２の切欠部２ｉは第１取付部材１のガイド部１ｈを逃がすべく、所定の寸法で形成されている。なお、図示は省略しているが、本例においても、第１の例における押さえ板５及びカバー６と同様の部材を設け、それらにも上記ガイド部１ｈに適合した切欠部を設ける。
このように構成された第２の例の照明器具取付装置１０においては、取付時に、作業者がガイド部１ｈに指の全面を当てて、取付（又は取り外し）操作を行うことができる。従って、非常に操作しやすいという利点がある。また、装置全体を組み立てたときガイド部１ｈの存在によって内部の露出が防止されるので、内部への異物の侵入防止効果がある。
なお、その他の構成及び取付動作は第１の例と同様である。
【００３２】
図１４は、照明器具取付装置１０の第３の例における第１取付部材１の概略外形形状を示す平面図である。本例では、第１の例における切欠部１ｆに相当する外周上の対向位置に、外周より凹んだ互いに平行な平面状の操作部１ｉを設け、上面部１ａのみを円形としたものである。なお、図示は省略しているが、本例においても、第１の例における第２取付部材、押さえ板５及びカバー６と同様の部材を設け、それらを上記第１取付部材１と適合した形状とすることはいうまでもない。
このように構成された第３の例の照明器具取付装置１０においては、取付時に、作業者が操作部１ｉに指の全面を当てて、取付（又は取り外し）操作を行うことができる。しかも、操作部１ｉが比較的広いため、複数の指を当てることもできる。従って、簡素な構成であって、かつ、非常に操作しやすいという利点がある。また、第２の例と同様に、装置全体を組み立てたときの内部の露出が防止されるので、内部への異物の侵入防止効果がある。
【００３３】
図１５は、照明器具取付装置１０の第４の例における第１取付部材を示す斜視図である。本例における第１取付部材１は、鍔状部１ｃの下端部外周側が小区間ごとに面取りされて、複数のテーパ部１ｊが形成されている。隣接するテーパ部１ｊ間には面取りしない非テーパ部１ｋが介在している。その他は、第１の例と同様の構成である。
このように構成された第４の例の照明器具取付装置１０においては、取付時に作業者の指が切欠部１ｆ以外の外周部分に触れても、テーパ部１ｊの存在によって第１取付部材１と第２取付部材２との間に指の肉を挟まれることがほとんどない。従って、取付作業をより安全に行うことができる。
なお、本例のようにテーパ部１ｊを設ける構成は、第２及び第３の例の構成と併用してもよい。
【００３４】
次に、照明器具本体部４０の構造（但し、天板部４２及びスペーサ４５は省略する。）について、図１〜図４を参照して、詳細に説明する。
図１及び図２は、照明器具本体部４０の底面図であり、図３は垂直断面図（上方が天井側）である。図１及び図３において、係合部４４の一部として一体的に形成された操作部４４ａは、筐体部４１に設けられた孔４１ａから下方に突出している。操作部４４ａは孔４１ａに対して遊嵌された状態にあり、この操作部４４ａをばね４３に抗して外方に操作することにより、係合部４４の内方先端部を外方に後退させることができる。係合部４４が照明器具取付装置１０と適正に係合した状態において、一対の操作部４４ａは各孔４１ａの内方側端面に当接しており、この位置が操作部４４ａの定位置である。
コネクタ４７は筐体部４１の底面に設けられており、照明器具（図示せず）の電源線がここに接続されている。また、照明器具取付装置１０のリード線端子１２（図６の（ｃ）参照）に接続されたリード線１３の先端に取り付けられた相手側のコネクタ１４が、コネクタ４７に挿入されることにより、引掛シーリング３１等から照明器具への電源接続が完了する。
【００３５】
インタロック部材４６は筐体部４１に対して所定範囲で回動自在に取り付けられており、図１に示す状態から時計回り方向に回動可能である。図４は、このインタロック部材４６の形状を示す底面図及び側面図である。図４において、インタロック部材４６は、リング状の回動基部４６ａと、この回動基部４６ａの周上の２箇所から外方へ突出形成され、回動基部４６ａと同心円弧の一方向に沿って形成されたＵ字状の凹部４６ｃを有するロック部４６ｂと、一方のロック部４６ｂに隣接して形成されたカバー部４６ｄとを有している。
【００３６】
インタロック部材４６の回動中心Ｏ（図１）から見た凹部４６ｃの径方向位置は、操作部４４ａが定位置にあるときのその径方向位置と合致している。従って、図１に示すように、ロック部４６ｂを操作部４４ａに係合させることができる。この状態では、操作部４４ａを操作することができない。また、コネクタ４７は露出している。
一方、図１に示す位置から時計回り方向にインタロック部材４６を回動させることにより、図２に示すように、ロック部４６ｂが操作部４４ａから外れて、カバー部４６ｄがコネクタ４７を覆う状態となる。この状態では、操作部４４ａを操作することができるが、コネクタ４７に相手側のコネクタ１４を接続することはできない。
【００３７】
照明器具本体部４０を照明器具取付装置１０に取り付けるとき、係合部４４が確実に照明器具取付装置１０に係合していないが一応保持された状態であるとすると、係合部４４と一体の操作部４４ａが定位置に戻らず、例えば図２の点線で示す位置にある。従って、このときインタロック部材４６を回動させようとしても、操作部４４ａの位置と孔４６ｃの位置が合わないため、回動させることができない。従って、コネクタ４７を露出させることができないので、相手側のコネクタ１４を接続することができない。これでは、照明器具の取付作業が終了しない。コネクタ４７に相手側のコネクタ１４を接続するためには、照明器具本体部４０を取付け直して、係合部４４を確実に照明器具取付装置１０に係合させ、操作部４４ａを定位置にすることが必要となる。すなわち、必然的に確実な係合を行わせることになる。
【００３８】
一方、照明器具本体部４０を照明器具取付装置１０から取り外すには、図１に示す状態からでは操作部４４ａを操作することができない。そこで、インタロック部材４６を時計回り方向に回動させようとすると、コネクタ４７に接続されている相手側のコネクタ１４が邪魔になって回動させることができない。従って、まず、相手側のコネクタ１４を外し、その後、インタロック部材４６を回動させることが必要となる。すなわち、コネクタ４７から相手側のコネクタ１４を外すことなく、照明器具本体部４０を照明器具取付装置１０から取り外すことはできない。このようなインタロック構造によれば、相手側のコネクタ１４を接続したまま照明器具本体部４０を取り外そうとして双方のコネクタ４７及び１４やリード線１３を傷めるという事態も起こり得ない。
【００３９】
【発明の効果】
以上のように構成された本発明は以下の効果を奏する。
請求項１の照明器具取付構造によれば、係合部が適正に照明器具取付装置に係合するように照明器具本体部が取り付けられた場合にのみ、インタロック部材が操作部と係合する位置に移動可能となり、インタロック部材を移動することにより、コネクタ接続が可能となる。従って、係合部が適正に照明器具取付装置に係合していない場合は、インタロック部材を移動させることはできず、コネクタ接続ができない。この結果、照明器具本体部の取付を完了するためには、係合部を適正に照明器具取付装置に係合させることが必須となるので、常に確実な係合状態となり、照明器具の落下を確実に防止することができる。
【００４０】
請求項２の照明器具取付構造によれば、照明器具本体部のコネクタに接続された照明器具取付装置のコネクタがインタロック部材の移動を妨げることにより、インタロック部材は操作部と非係合状態になることができず、操作部の操作を行うことができないので、コネクタ接続がなされた状態では照明器具本体部を取り外すことができない。従って、コネクタを接続したまま照明器具本体部を取り外すことは起こり得ず、コネクタやリード線を傷めることがない。
【００４１】
請求項３の照明器具取付構造によれば、第２取付部材の突起部が引掛型天井配線器具に当接したときは、その状態から第１取付部材を押し上げることにより、突起部を弾性体に抗して引っ込ませ、これにより第２取付部材を第１取付部材に対して相対的に移動させ、この移動に基づいて照明器具本体部の支持部を変える。従って、引掛型天井配線器具の種類による天井面からの突出長の違いを、支持部を変えることにより補償して、照明器具本体部と天井面との距離を略一定に保つことができる。これによって、常に確実に照明器具本体部の適正な取付を行うことができる。
また、このような照明器具取付構造では、係合部が適正に照明器具取付装置に係合するように照明器具本体部が取り付けられた場合にのみ、インタロック部材が操作部と係合する位置に移動可能となり、インタロック部材を移動することにより、コネクタ接続が可能となる。すなわち、係合部が適正に照明器具取付装置に係合していない場合は、インタロック部材を移動させることはできず、コネクタ接続ができない。この結果、照明器具本体部の取付を完了するためには、係合部を適正に照明器具取付装置に係合させることが必須となるので、常に確実な係合状態となり、照明器具の落下を確実に防止することができる。
【００４２】
請求項４の照明器具取付構造によれば、第１取付部材より実質的に下方にある第２取付部材に邪魔されることなく、切欠部に指を通して、指先で第１取付部材を押し上げながら、照明器具取付装置を取り付ける操作を行うことができる。
【００４３】
請求項５の照明器具取付構造によれば、切欠エリアの重なりによって天井面と直交する方向に連続した凹部空間が形成され、ここに指を入れることができるので、切欠部に指を当てて、指先で第１取付部材を押し上げながら、照明器具取付装置を稔回する操作を行うことができ、照明器具取付装置を引掛型天井配線器具に容易に取り付けることができる。
【００４４】
請求項６の照明器具取付構造によれば、引掛型天井配線器具の種類による突出長の差が支持部の高さ位置の差により一定確実に相殺されるので、照明器具本体部と天井面との距離を一定に保つことができる。従って、一定のスペーサを照明器具本体部と天井面との間に設けることで照明器具本体部のがたつきを確実に抑えるとともに虫の侵入も確実に防止することができる。
【図面の簡単な説明】
【図１】本発明の一実施形態による照明器具取付構造における照明器具本体部の底面図である。
【図２】図１と同様の底面図であり、インタロック部材を回動させた状態を示す。
【図３】図１に示す照明器具本体部の垂直断面図である。
【図４】図１に示す照明器具本体部におけるインタロック部材の底面図及び側面図である。
【図５】本発明の一実施形態による照明器具取付構造における照明器具取付装置の組立を示す斜視図である。
【図６】上記照明器具取付装置を構成する第１取付部材を示す平面図、側面図及び底面図である。
【図７】上記照明器具取付装置を構成する第２取付部材を示す平面図、側面図及び底面図である。
【図８】図５に示す組立過程を経て組み立てられた照明器具取付装置の側面図である。
【図９】上記照明器具取付装置を引掛シーリングに取り付けた状態を示す側面図である。
【図１０】上記照明器具取付装置を引掛埋込ローゼットに取り付けた状態を示す側面図である。
【図１１】引掛シーリングに取り付けられた上記照明器具取付装置に、照明器具本体部を取り付けた状態を示す断面図である。
【図１２】引掛埋込ローゼットに取り付けられた上記照明器具取付装置に、照明器具本体部を取り付けた状態を示す断面図である。
【図１３】照明器具取付装置の第２の例における第１取付部材及び第２取付部材を示す斜視図である。
【図１４】照明器具取付装置の第３の例における第１取付部材の概略外形形状を示す平面図である。
【図１５】照明器具取付装置の第４の例における第１取付部材を示す斜視図である。
【図１６】従来の照明器具取付構造において、照明器具を取り付ける状態を示す斜視図である。
【図１７】従来の照明器具取付装置の斜視図である。
【図１８】従来の照明器具取付装置に取り付けられているリングの斜視図である。
【符号の説明】
１      第１取付部材
１ｃ    鍔状部（第１の支持部）
１ｆ    切欠部
２      第２取付部材
２ｃ    鍔状部（第２の支持部）
２ｄ    突起部
２ｉ    切欠部
３      ばね
１０    照明器具取付装置
１１    栓刃
１４    コネクタ（照明器具取付装置側）
３１    引掛シーリング
３２    天井
３３    引掛埋込ローゼット
４０    照明器具本体部
４１    筐体部
４４    係合部
４４ａ  操作部
４６    インタロック部材
４６ｂ  ロック部
４６ｄ  カバー部
４７    コネクタ（照明器具本体部側）
【図１】
0003701793.tif 000002
【図２】
0003701793.tif 000003
【図３】
0003701793.tif 000004
【図４】
0003701793.tif 000005
【図５】
0003701793.tif 000006
【図６】
0003701793.tif 000007
【図７】
0003701793.tif 000008
【図８】
0003701793.tif 000009
【図９】
0003701793.tif 000010
【図１０】
0003701793.tif 000011
【図１１】
0003701793.tif 000012
【図１２】
0003701793.tif 000013
【図１３】
0003701793.tif 000014
【図１４】
0003701793.tif 000015
【図１５】
0003701793.tif 000016
【図１６】
0003701793.tif 000017
【図１７】
0003701793.tif 000018
【図１８】
0003701793.tif 000019